(57)【特許請求の範囲】
【請求項１】
円形天面壁４と該円形天面壁４の周縁から垂下するスカート壁５から成り、
該スカート壁５は下部に周状破断部６を有し、前記スカート壁５は前記周状破断部６より上部の主部７と、下部のタンパーエビデントバンド８とからなり、
主部７の内周面には、容器口部３の外周面に形成されている雄螺条９と螺合する雌螺条１０が形成されており、
前記タンパーエビデントバンド８の内周面には、前記容器口部３の雄螺条９より下方に形成されている鍔部１１に下方より係止する係止片１２が周方向に間隔をおいて複数個設けられているプラスチックキャップであって、
前記タンパーエビデントバンド８の外方には間隔をおいて環状張り出し部１３が設けられており、該環状張り出し部と前記タンパーエビデントバンド８とは径方向に延び、少なくとも前記タンパーエビデントバンドの内周面に設けられている複数の係止片の隣り合う２つの係止片間に対応する位置で接続されている複数の連結部２４又は環状の連結部によって接続されていることを特徴とする易開閉プラスチックキャップ。
【請求項２】
前記連結部２４は、前記タンパーエビデントバンド８の内周面に設けられている複数の係止片１２の隣り合う２つの係止片のそれぞれの端部を跨るように接続されている請求項１記載の易開閉プラスチックキャップ。
【請求項３】
請求項１または２に記載の易開閉プラスチックキャップと容器の組み合わせにおいて、前記環状張り出し部１３の外径Ｒ１が、少なくとも前記容器口部３の鍔部１１より下方にあるネックリング１４の外径Ｒ２と同等以上であることを特徴とする易開閉プラスチックキャップと容器の組み合わせ。
【発明の詳細な説明】
【技術分野】
【０００１】
本発明は、液状物を充填している容器の口部に螺着して密封し、且つタンパーエビデントバンド付きの易開閉プラスチックキャップに関し、より詳しくは、容器に係合するプラスチックキャップが小さく手指で掴みづらく開封し難い場合でも、容易に開封することが出来る易開閉プラスチックキャップに関する。
【背景技術】
【０００２】
従来のタンパーエビデントバンド付きのプラスチックキャップは、図８に示すように、円形天面壁５０とこれの周縁から垂下するスカート壁５１とからなり、このスカート壁５１は下部に周状破断部５２を有し、このスカート壁５１は破断部５２より上方の主部５３と、下方のタンパーエビデントバンド５４とからなって、この主部５３の内周面には、容器口部５５の外周面に形成されている雄螺条５６と螺合する雌螺条５７が形成されており、さらに、タンパーエビデントバンド５４の内周面には、容器口部５５の雄螺条５６より下方に形成されている顎部５８に、下方より係止する係止片５９が周方向に所定の間隔をおいて複数個設けられてなるものである（例えば、特許文献１参照）。
【０００３】
特許文献１は、開封時には、雌螺条５７と雄螺条５６との螺合解除に応じて容器口部５５に対してスカート壁５１の主部５３が上昇していき、タンパーエビデントバンド５４に配設されている係止片５９が口部５５の顎部５８の下面に係止され、これによってタンパーエビデントバンド５４の上昇が阻止される。キャップの開封方向への回転を続けると、応力によって破断部５２が破断され、タンパーエビデントバンド５４が主部５３から分離される。開封方向への回転を更に続けると、タンパーエビデントバンド５４を口部５５に残留せしめてキャップ主部５３が口部５５から離脱されるというものである。
しかしながら、プラスチックキャップは、コストダウンを目的とした樹脂量低減が推進されていることもあり、近年、キャップ高さが従来高さよりも低いキャップも一部市場に出回っている状況である。特に、プラスチックキャップのスカート壁５１の外径（ｒ１）も高さ寸法（ｈ）も小さい場合、容器口部５５の外周面に形成しているネックリング６０をスカート壁５１と一緒に誤って掴んでしまうことがあり、掴む力がスカート壁５１とネックリング６０とに分散するため、開封しづらいことがあった。また、タンパーエビデントバンド５４自体を掴んでしまった場合も、同様のおそれがあった。したがって、スカート壁５１のタンパーエビデントバンド５４の外径（ｒ２）を大きくして、ネックリング６０も一緒に掴んでしまわないようにすることが考えられる。
【０００４】
例えば、図９に示すように、スカート壁５１の主部５３の外方側に容器口部５５の顎部５８への係止片５９を内面に有するタンパーエビデントバンド５４が位置し、主部５３の裾部５３ａに破断部５２で連結してなるプラスチックキャップがある。（例えば、特許文献２参照）。
【先行技術文献】
【特許文献】
【０００５】
【特許文献１】特開２００７−１９１２０６号公報
【特許文献２】特開２０００−１２８１９９号公報
【発明の概要】
【発明が解決しようとする課題】
【０００６】
特許文献２のプラスチックキャップは、確かにタンパーエビデントバンド５４がスカート壁５１の主部５３より、外側に張り出した形状であるが、容器口部５５のネックリングやタンパーエビデントバンド５４を掴んでしまわないようにするといった目的のものではなく、容器口部５５にプラスチックキャップを装着後、破断部５２の切断の有無が上方から直接見えるから容易に判定できて、不正開封の事実が即座にわかるという目的で出願されたものである。そして、外側に張り出すタンパーエビデントバンド５４の内面に係止片５９が形成されているため、係止される側の容器口部５５の顎部５８の位置も外側にしなくてはならず、専用の特殊形状の容器が必要となってしまう問題や、主部５３とタンパーエビデントバンド５４が破断部５２のみによって接続されているため、容器口部５５へのキャップの装着時に破断部を誤って破断してしまう問題、といった大きな課題が存在する。
【０００７】
そこで、本発明の目的は、容器形状を変更することなく、容器に係合するプラスチックキャップが小さく手指で掴みづらく開封し難い場合でも、容易に開封することが出来る易開封プラスチックキャップを提供することにある。
【課題を解決するための手段】
【０００８】
本発明は、上記目的を達成するために提案されたものであって、下記の構成からなるものである。
すなわち、本発明によれば、円形天面壁と該円形天面壁の周縁から垂下するスカート壁から成り、
該スカート壁は下部に周状破断部を有し、前記スカート壁は前記周状破断部より上部の主部と、下部のタンパーエビデントバンドとからなり、
主部の内周面には、容器口部の外周面に形成されている雄螺条と螺合する雌螺条が形成されており、
前記タンパーエビデントバンドの内周面には、前記容器口部の雄螺条より下方に形成されている鍔部に下方より係止する係止片が周方向に間隔をおいて複数個設けられているプラスチックキャップであって、
前記タンパーエビデントバンドの外方には間隔をおいて環状張り出し部が設けられており、該環状張り出し部と前記タンパーエビデントバンドとは径方向に延び、少なくとも前記タンパーエビデントバンドの内周面に設けられている複数の係止片の隣り合う２つの係止片間に対応する位置で接続されている複数の連結部又は環状の連結部によって接続されていることを特徴とする易開閉プラスチックキャップが提供される。
【０００９】
また、本発明によれば、前記連結部は、前記タンパーエビデントバンドの内周面に設けられている複数の係止片の隣り合う２つの係止片のそれぞれの端部を跨るように接続されている易開閉プラスチックキャップが提供される。
【００１０】
また、本発明によれば、易開閉プラスチックキャップと容器の組み合わせにおいて、前記環状張り出し部の外径Ｒ１が、少なくとも前記容器口部の鍔部より下方にあるネックリングの外径Ｒ２と同等以上である易開閉プラスチックキャップと容器の組み合わせが提供される。
【００１１】
上記第１の課題解決手段による作用は、次の通りである。
すなわち、本願のプラスチックキャップは、スカート壁は下部に周状破断部を有し、周状破断部より上部の主部と、下部のタンパーエビデントバンドとからなり、タンパーエビデントバンドの内周面には、容器口部の雄螺条より下方に形成されている鍔部に下方より係止する係止片が周方向に間隔をおいて複数個設けられており、そのタンパーエビデントバンドの外方には間隔をおいて環状張り出し部が設けられており、環状張り出し部とタンパーエビデントバンドとは径方向に延びる複数の連結部又は環状の連結部によって接続されているため、開封時に手で掴む力の大半がスカート壁主部にかかるよう、容器口部のネックリング及びタンパーエビデントバンドを一緒に掴んでしまわない形状になっているとともに、専用の特殊形状の容器を必要とせず、従来のボトル容器に対応した構成となっている。
【００１２】
また、本発明においては、連結部を、少なくともタンパーエビデントバンドの隣り合う２つの係止片間に対応する位置で接続しているため、タンパーエビデントバンド自体の肉厚を薄く軽量化した場合においても、係止片の存在しないバンド部分を環状張り出し部により外側から補強することが可能となり、タンパーエビデントバンド全体の強度が増し、その分タンパーエビデントバンドの肉厚（ｔ１）を薄くして素材量を減らせる。
【００１３】
また、第２の課題解決手段による作用は、連結部を、タンパーエビデントバンドの内周面に設けられている複数の係止片の隣り合う２つの係止片のそれぞれの端部に対応する位置まで跨るように接続されているため、タンパーエビデントバンド自体の肉厚を薄く軽量化した場合においても、バンドの係止片も環状張り出し部により外側から補強することが可能となり、開封時にタンパーエビデントバンドが口部に残留せずに、スカート壁主部と一緒に離脱されてしまう現象（所謂すっぽ抜け現象）を発生させることのないタンパーエビデントバンド全体の強度を持つこととなる。
【００１４】
また、第３の課題解決手段による作用は、上記易開閉プラスチックキャップを容器口部に開閉する際、環状張り出し部の外径（Ｒ１）が、容器口部のネックリングの外径（Ｒ２）と同等以上（Ｒ１≧Ｒ２）であるため、掴む力の大半が、確実にスカート壁主部にかかることになって開封に関与することになる。
【発明の効果】
【００１５】
本発明の易開封プラスチックキャップは、容器に被せるプラスチックキャップが小さく手指で掴みづらく開封し難い場合でも、容易に開封することが出来る効果がある。
【００１６】
また、本発明の易開封プラスチックキャップは、上記効果に加えて、連結部の位置を係止片間に位置させたことにより、タンパーエビデントバンドを補強する効果がある。
【００１７】
本発明の易開封プラスチックキャップは、上記効果に加えて、連結部の位置を係止片にまで一部跨るように位置させたことにより、タンパーエビデントバンド及び係止片を補強する効果がある。
【図面の簡単な説明】
【００１８】
【図１】本発明の実施の形態を示す易開封プラスチックキャップを容器の口部に螺着した状態の半裁縦断面図（連結部断面）である。
【図２】図１の易開封プラスチックキャップ単独の半裁縦断面図（肉抜き部断面）である。
【図３】図１の易開封プラスチックキャップの下面図である。
【図４】本発明の他の実施の形態を示す易開封プラスチックキャップ単独の半裁縦断面図である。
【図５】本発明の他の実施の形態を示す易開封プラスチックキャップ単独の半裁縦断面図である。
【図６】本発明の他の実施の形態を示す易開封プラスチックキャップの下面図である。
【図７】本発明の他の実施の形態を示す易開封プラスチックキャップの下面図である。
【図８】特許文献１に示された従来例を示す半裁縦断面図である。
【図９】特許文献２に示された従来例を示す半裁縦断面図である。
【発明を実施するための形態】
【００１９】
以下に、図面を参照して本発明を実施するための形態を説明する。
【００２０】
図面において、１は易開閉プラスチックキャップであり、この易開閉プラスチックキャップ１は、容器２の口部３に液密に螺着するものであり、円形天面壁４とこの円形天面壁４の周縁から垂下するスカート壁５とからなり、このスカート壁５は下部に周状破断部６を有して、スカート壁５は周状破断部６より上部の主部７と、下部のタンパーエビデントバンド８とからなり、主部７の内周面には、容器口部３の外周面に形成されている雄螺条９と螺合する雌螺条１０が形成されており、タンパーエビデントバンド８の内周面には、容器口部３の雄螺条１０より下方に形成されている顎部１１に下方より係止する係止片１２が周方向に間隔をおいて複数個設けられているプラスチックキャップであって、タンパーエビデントバンド８の外方には間隔をおいて環状張り出し部１３を形成し、この環状張り出し部１３とタンパーエビデントバンド８の間には径方向に延びる破断不能な連結部２４が両者を連結するように接続していることを特徴とするものである。
【００２１】
前記容器２としては、乳飲料、コーヒー飲料、果汁飲料などの液状物を充填出来るものであり、且つ容器２の口部３に本発明の易開封プラスチックキャップ１を液密に螺着出来るものであれば、形状やプラスチックの種類などに特に限定がない。
【００２２】
前記円形天面壁４は、その下面に容器２の口部３の内周面をシールするインナーリング２０及びその外側に口部３の上端面に当接してシールするシールリング２１が同心的に設けられ、容器２の液密性を完全にしている。
【００２３】
前記スカート壁５は、すでに述べたとおり、周状破断部６を境として上の主部７と、下のタンパーエビデントバンド８とに分かれ、主部７の内周面には容器口部３の外周面に刻設された雄螺条９に対応する雌螺条１０が形成されて、容器口部３への螺着を可能とし且つ開封後の主部７を螺着脱自在として、それらの螺着及び螺脱を補助するために、主部７の外周面にスベリ止め２２が設けられている。
【００２４】
一方、前記タンパーエビデントバンド８は、すでに述べたとおり、その外周面下部に環状張り出し部１３を有し、図１、２を参照すると、外方に間隔をおいた環状張り出し部１３とタンパーエビデントバンド８との間には径方向に延びる複数の破断不能な連結部２４が両者を連結するように接続しており、図３を参照してわかるように、８個の連結部２４が周方向に等間隔で配置され、そして、連結部２４と隣り合う連結部２４との間は、肉抜き部２３が周方向に等間隔で配置されている。このように肉抜き部２３があることによって、素材量が増えるのを軽減しているものである。
この環状張り出し部１３の外径（Ｒ１）は、スカート壁５の主部７の外径より大きく、また、容器口部３のネックリング１４の外径（Ｒ２）と同等以上（Ｒ１≧Ｒ２）であるため、開封時に手で掴む力の大半が主部７にかかるよう、容器口部のネックリング１４及びタンパーエビデントバンド８を一緒に掴んでしまわない形状となっている。
【００２５】
また、タンパーエビデントバンド８の内周面には、容器口部３の顎部１１に下方より係止する係止片１２が周方向に間隔をおいて複数個設けられているのであるが、この係止片１２間（係止片が存在しない部分）は、係止片１２が形成されているタンパーエビデントバンド８の強度より、その強度が若干弱くなってしまう傾向にあり、特に素材量低減を目的にタンパーエビデントバンド８の厚みを薄くすると、その傾向は顕著となり、バンド８の変形、強度不足に起因するキャップ開封時のすっぽ抜け現象が発生するおそれがある。
本願のキャップは、図３を参照してわかるように、連結部２４を、少なくともタンパーエビデントバンド８の隣り合う２つの係止片１２間に対応する位置で接続しているため、タンパーエビデントバンド８自体の肉厚を薄く軽量化した場合においても、係止片１２の存在しないバンド部分を環状張り出し部１３により外側から補強することが可能となり、そして、係止片１２が形成されている位置のタンパーエビデントバンド８はもともと強度が増幅しているから、上記の連結部２４による強度上昇と相俟って、タンパーエビデントバンド８の肉厚をかなり薄肉にすることが可能になっている。
【００２６】
また、連結部２４は、図４のように、環状の連結部として設けることも可能である。その場合、素材量が著しく増えるのを軽減するため、環状の連結部２４をタンパーエビデントバンド８の外面上部で接続し、環状の連結部２４の下部全周を溝状の肉抜き部２３として形成することも出来る。この場合、連結部２４の接続位置をタンパーエビデントバンド８の外面下部にすると、そこに充填殺菌後のシャワー殺菌水等の液体が凹部に溜まってしまうため、バンド８の外面上部に接続することが好ましい。
また、同様に、図１における複数の連結部２４の下部を部分的に肉抜きすることで、さらに素材量の低減を図ることも可能である（図５参照）。
【００２７】
また、連結部２４は、図６にように、係止片１２間で接続するだけでなく、さらに、隣り合う２つの係止片１２のそれぞれの端部に対応する位置まで跨るように接続されていても良い。タンパーエビデントバンド８自体の肉厚を薄く軽量化した場合においても、バンドの係止片１２も環状張り出し部１３により外側から補強することが可能となる。
また、図７のように連結部２４間にさらに補助連結部２５を設けることも可能である。その場合、接続位置は、図からわかるように、周方向に形成されている係止片１２に対して、ほぼ中間に対応する位置で接続することが好ましい。
【００２８】
次に、図面を参照して、上記構成の易開封プラスチックキャップ１の利用状況を説明する。
この易開封プラスチックキャップ１は、円形天面壁４の周縁からスカート壁５を垂下させてなり、容器２の口部３に液密に螺着するものである（図１参照）。したがって、容器２の口部３から乳飲料、コーヒー飲料、果汁飲料などの液状物を充填したあと、容器２の口部３に易開封プラスチックキャップ１をあてがい、閉栓方向に回転させて容器２の口部３に液密に螺着して、飲料製品として市場に出荷される。
【００２９】
次に、この容器２内の液状物を消費するには、易開閉プラスチックキャップ１のスカート壁５上部の主部７におけるすべり止め２２に手指を掛け、開封方向に回転させる。その際、易開閉プラスチックキャップ１の外径（Ｒ１）も高さ寸法（Ｈ）も小さい場合であっても、スカート壁５にはタンパーエビデントバンド８の外周面下部から外方に張り出した環状張り出し部１３があり、しかも、この環状張り出し部１３の外径（Ｒ１）は、容器口部３の下部にあるネックリング１４の外径（Ｒ２）と同等以上（Ｒ１≧Ｒ２）であるから、上記掴む力がネックリング１４側に分散するのを著しく軽減することになり、スカート壁５の主部７のすべり止め２２による効果と相俟って、易開閉プラスチックキャップ１の主部７をスムーズに開封方向に回転させることができる。
【００３０】
そして、タンパーエビデントバンド８の複数の係止片１２が容器２の顎部１１に係止するから、周状破断部６の極薄肉部が破断し、主部７とタンパーエビデントバンド８とを分離して、主部７を容器２の口部３から取り外して、易開封プラスチックキャップ１の開封が終了し、容器２内の液状物を消費することができる。この易開封プラスチックキャップ１を一旦開封すると、主部７から分離されたタンパーエビデントバンド８は、容器２の口部３のネックリング１４上に落下して残留し、不正開封がなされたかどうかが、すぐにわかる。さらに、容器２内に液状物が残り一時保管したい場合は、容器２の口部３に主部７をあてがい、手指にて閉栓方向に回転させ、易開封プラスチックキャップ１を口部３に螺着させれば良い。
【００３１】
以上、本発明の実施の形態を説明したが、具体的な構成はこれに限定されず、本発明の要旨を逸脱しない範囲での変更は適宜可能であることは理解されるべきである。
【産業上の利用可能性】
【００３２】
本発明のプラスチックキャップは、容器形状を変更することなく、容器に被せるプラスチックキャップが小さく手指で掴みづらく開封し難いような場合に、極めて高い利用可能性がある。
【符号の説明】
【００３３】
１                        易開閉プラスチックキャップ
２                        容器
３、５５                  口部
４、５０                  円形天面壁
５、５１                  スカート壁
６、５２                  周状破断部
７、５３                  主部
８、５４                  タンパーエビデントバンド
９、５６                  雄螺条
１０、５７                雌螺条
１１、５８                顎部
１２、５９                係止片
１３                      環状張り出し部
１４、６０                ネックリング
２０                      インナーリング
２１                      シールリング
２２                      スベリ止め
２３                      肉抜き部
２４                      連結部
２５                       補助連結部
５３ａ                    裾部
ｈ                        スカート壁の高さ寸法
Ｒ１                      鍔部の外径
Ｒ２                      ネックリングの外径
ｒ１                      スカート壁の外径
ｒ２                      タンパーエビデントバンドの外径
ｔ１                      タンパーエビデントバンドの肉厚
ｔ２                      主部の肉厚
【図１】
0005808115.tif 000002
【図２】
0005808115.tif 000003
【図３】
0005808115.tif 000004
【図４】
0005808115.tif 000005
【図５】
0005808115.tif 000006
【図６】
0005808115.tif 000007
【図７】
0005808115.tif 000008
【図８】
0005808115.tif 000009
【図９】
0005808115.tif 000010